(57)【要約】【課題】アスベストの飛散を防止し、かつ下地の動きがある柱・梁などにも適用することができるアスベストの飛散防止方法を提供することである。【解決手段】アスベスト飛散防止剤３は、水性有機系浸透剤と、発泡剤と、難燃剤と、金属酸化物と、分散剤と、混和剤とからなることを特徴とし、水性有機系浸透剤が５０〜５５重量％、発泡剤が３０〜３５重量％、難燃剤が６〜１２重量％、金属酸化物が１〜３重量％、分散剤が１〜３重量％、混和剤が１〜３重量％である。【選択図】図１
2007204702.tif 000002
【特許請求の範囲】
【請求項１】
水性有機系浸透剤と、発泡剤と、難燃剤と、金属酸化物と、分散剤と、混和剤とからなることを特徴とするアスベスト飛散防止剤。
【請求項２】
水性有機系浸透剤が５０〜５５重量％、発泡剤が３０〜３５重量％、難燃剤が６〜１２重量％、金属酸化物が１〜３重量％、分散剤が１〜３重量％、混和剤が１〜３重量％であることを特徴とする請求項１に記載のアスベスト飛散防止剤。
【請求項３】
水性有機系浸透剤と、発泡剤と、難燃剤と、金属酸化物と、分散剤と、混和剤とからなるアスベスト飛散防止剤を、吹付け施工された既存のアスベスト層に吹付け塗布することを特徴とするアスベストの飛散防止方法。
【請求項４】
水性有機系浸透剤が５０〜５５重量％、発泡剤が３０〜３５重量％、難燃剤が６〜１２重量％、金属酸化物が１〜３重量％、分散剤が１〜３重量％、混和剤が１〜３重量％であることを特徴とする請求項３に記載のアスベスト飛散防止剤。
【発明の詳細な説明】
【技術分野】
【０００１】
本願発明はアスベスト飛散防止剤およびこれを利用したアスベスト飛散防止方法に関するものである。
【背景技術】
【０００２】
近年、アスベスト含有建材が経年劣化や脆弱化に伴う剥離、落下、あるいは解体時の飛散などによって人体への健康被害が及んで社会問題になっている。また、このアスベスト含有建材の除去処理工事においては、飛散するアスベスト繊維の低減と作業所以外に飛散するのを防ぐために負圧・除塵装置（高価で専門的な維持管理が必要）を設置して行っている。これは作業箇所を養生シートで厳密に囲み、その中に特別な保護衣と呼吸保護具を装備した作業者が入ってケレン棒やスクレーパなどを用いて除去作業を行っている。この除去したアスベストはプラスチック袋の中に入れて飛散防止剤で湿潤化させるか、セメントで固化させている。また除去作業の終了後、高価な高性能真空掃除機で床などの清掃を行っている。
【０００３】
しかし上記のアスベスト層の除去方法は、負圧・除塵装置や高性能真空掃除機などを使用する他、作業者が特別な保護衣と呼吸保護具を装備するためにコストがかかるという問題があった。また作業者がケレン棒やスクレーパなどを用いてアスベスト層を除去しているため多大な時間と労力を必要としていた。
【０００４】
そこで、乾式吹付け剤、有機系吹付け剤、無機系吹付け剤、または飛散防止剤をアスベストに吹付け塗布してこれを封じ込める方法をとっている。またその他のアスベストの飛散防止方法として、例えば特開平１０−３２３６１４号公報の発明がある。
【特許文献１】特開平１０−３２３６１４号公報
【発明の開示】
【発明が解決しようとする課題】
【０００５】
しかし上記の乾式吹付け剤は、湿式吹付け耐火被覆材に対しては浸透しない問題があった。また有機系吹付け剤は建築基準法などによる防・耐火規定に適合しない問題があった。また無機系吹付け剤は梁、柱などの動きのある部材には適用することができないという問題があった。または飛散防止剤を用いて固化した場合は、吸音・断熱性能などの基材性能を損なうものが多いという問題があった。
【０００６】
本願発明は上記の課題を解決するためになされたものであり、その目的はアスベストの飛散を防止し、かつ下地の動きがある柱・梁などにも適用することができるアスベストの飛散防止方法を提供することである。
【課題を解決するための手段】
【０００７】
上記の課題を解決するための本願発明のアスベスト飛散防止剤は、水性有機系浸透剤と、発泡剤と、難燃剤と、金属酸化物と、分散剤と、混和剤とからなることを特徴とする。また水性有機系浸透剤が５０〜５５重量％、発泡剤が３０〜３５重量％、難燃剤が６〜１２重量％、金属酸化物が１〜３重量％、分散剤が１〜３重量％、混和剤が１〜３重量％であることを含むものである。
【０００８】
またアスベストの飛散防止方法は、水性有機系浸透剤と、発泡剤と、難燃剤と、金属酸化物と、分散剤と、混和剤とからなるアスベスト飛散防止剤を、吹付け施工された既存のアスベスト層に吹付け塗布することを特徴とする。また水性有機系浸透剤が５０〜５５重量％、発泡剤が３０〜３５重量％、難燃剤が６〜１２重量％、金属酸化物が１〜３重量％、分散剤が１〜３重量％、混和剤が１〜３重量％であることを含むものである。
【０００９】
またアスベスト飛散防止剤において、水性有機系浸透剤が５０重量％未満の場合は動きのある部材には追従しにくくなり、５５重量％を越えると浸透性が悪くなる。また発泡剤が３０重量％未満の場合は発泡しにくくなり、３５重量％を越えると過剰な発泡になる。また難燃剤が６重量％未満の場合は難燃性が低下し、１２重量％を越えると物性が悪くなる。また金属酸化物が１重量％未満の場合は難燃性が低下し、３重量％を越えると混和しにくくなる。また分散剤が１重量％未満の場合は分散性が低下し、３重量％を越えると気泡が入りやすくなる。また混和剤が１重量％未満の場合は耐久性が低下し、３重量％を越えると付着性が悪くなる。
【発明の効果】
【００１０】
柱や梁などの動きのある部材におけるアスベストにも適用することができる。また火災時においても耐火性、吸音、断熱性などのアスベスト基材の所定の性能を保持することができる。アスベストを封じ込めた後に飛散させずに除去することができる。また環境改善への社会的な貢献をすることができる。
【発明を実施するための最良の形態】
【００１１】
以下、本願発明のアスベスト飛散防止剤の実施の形態を図面に基づいて説明する。このアスベスト飛散防止剤は水性有機系浸透剤とカバーリング剤とから構成され、このアスベスト飛散防止剤における水性有機系浸透剤としては、柔軟性のある超微粒子有機系エマルションのアクリル樹脂系、酢酸ビニル樹脂系、エチレン酢酸ビニル樹脂系、ポリビニルアルコール、塩化ビニル樹脂系、ウレタン樹脂系のうちのいずれか一つが使用される。
【００１２】
またカバーリング剤における発泡剤としては膨張性マイクロカプセルまたはリン酸アンモニウムであり、難燃剤としては、五酸化バナジウム、三酸化バナジウム、リン酸アンモニウムのうちのいずれかであり、金属酸化物としては、二酸化チタンまたは二酸化亜鉛であり、分散剤としては、陰イオン系界面活性剤または非イオン系界面活性剤であり、混和剤としては酸化チタンなどの充填剤または顔料である。
【００１３】
そして、水性有機系浸透剤５０〜５５重量％、発泡剤３０〜３５重量％、難燃剤６〜１２重量％、金属酸化物１〜３重量％、分散剤１〜３重量％、混和剤１〜３重量％をそれぞれ混合してアスベスト飛散防止剤を製造する。
【００１４】
次に、このアスベスト飛散防止剤を使用したアスベストの飛散防止方法について説明する。これは建物の天井、壁面および耐熱の必要な箇所に吹付け施工されたアスベスト層を簡単かつ確実に除去しようとするものであり、本実施の形態においては天井に吹付け施工されたアスベスト層を対象に説明する。
【００１５】
この飛散防止方法は、建物の天井、壁面および耐熱の必要な箇所に吹付け施工されたアスベスト層にアスベスト飛散防止剤を吹付け塗布してこれを封じ込めて、その飛散を防止しようとするものであり、本実施の形態においては天井に吹付け施工されたアスベスト層を対象に説明する。
【００１６】
はじめに、図１の（１）および（２）に示すように、アスベスト層の除去処理範囲を決定し、その範囲内に吹付装置１を設置する。次に、吹付装置１を走行させながら作業者７が散布ノズル２でアスベスト飛散防止剤３を天井４のアスベスト層５に散布する。このアスベスト層３は多孔質であるため散布されたアスベスト飛散防止剤３が浸透し、吹付け塗布した後、約１時間で固化する。このアスベスト飛散防止剤３は浸透性、接着性および柔軟性に優れているため、アスベスト繊維を封じ込めて飛散を防ぐとともに、下地材である天井４の動きにも追随することができる。
【００１７】
また図２の（１）および（２）に示すように、火災にあったとしても表面層のカバーリング剤が８０℃に達すると、約１００〜２００倍に膨張して断熱層６を形成してアスベスト層５を保護するとともにアスベストの剥離または飛散を防ぐことができる。
【図面の簡単な説明】
【００１８】
【図１】アスベスト飛散防止方法であり、（１）は吹付装置でアスベスト層にアスベスト飛散防止剤を塗布している正面図、（２）はアスベスト飛散防止剤を塗布したアスベスト層の断面図である。
【図２】（１）はアスベスト飛散防止剤を塗布したアスベスト層が火災で加熱された断面図、（２）はアスベスト飛散防止剤におけるカバーリング剤が膨張したアスベスト層の断面図である。
【符号の説明】
【００１９】
１  吹付装置
２  散布ノズル
３  アスベスト飛散防止剤
４  天井
５  アスベスト層
６  断熱材
【図１】
2007204702.tif 000003
【図２】
2007204702.tif 000004